【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
外部の装置から処理の指示を受け付ける指示受付手段と、
前記指示受付手段により受け付けた指示に応じた処理を実行する処理手段と、
前記処理手段により実行された処理の結果得られる出力情報を出力する出力手段と、
表示手段と、を備え、
前記出力手段が出力する前記出力情報は、画面表示に関する情報であり、
前記出力手段は、所定の条件を満たす場合には、前記出力情報を前記表示手段に表示させ、前記所定の条件を満たさない場合には、前記出力情報を前記表示手段に表示させない、
ことを特徴とするナビゲーション装置。
【請求項２】
請求項１に記載のナビゲーション装置であって、さらに、
通信網を介して他の機器と通信を行う通信手段を備え、
前記指示受付手段は、
前記通信手段を介して前記機器から処理の指示を受け付け、
前記出力手段は、
前記処理手段により実行された処理の結果得られる出力情報を、前記通信手段を介して前記機器に送信する、
ことを特徴とするナビゲーション装置。
【請求項３】
請求項２に記載のナビゲーション装置であって、さらに、
前記機器からの処理の指示を受け付けることが可能な状況にあるか否かを特定する情報を前記機器に送信する状況報知手段を備える、
ことを特徴とするナビゲーション装置。
【請求項４】
請求項１〜３のいずれか一項に記載のナビゲーション装置であって、さらに、
入力指示を受け付ける入力受付手段を備え、
前記指示受付手段が受け付ける前記処理の指示は、前記入力受付手段が受け付ける入力指示に対応する指示である、
ことを特徴とするナビゲーション装置。
【請求項５】
請求項１〜４のいずれか一項に記載のナビゲーション装置であって、
前記所定の条件は、前記画面表示の遷移が激しくないこと、
を特徴とするナビゲーション装置。
【請求項６】
請求項１〜５のいずれか一項に記載のナビゲーション装置であって、
前記処理手段は、
所定の条件を満たさない場合には、前記所定の条件を満たすまで前記処理の実行を待機し、前記所定の条件を満たす場合には、前記処理を実行する、
ことを特徴とするナビゲーション装置。
【請求項７】
請求項２〜６のいずれか一項に記載のナビゲーション装置であって、さらに、
前記通信手段による通信が不能となる地域に進入する場合に、通信が不能となる旨の情報を前記機器に通知する通信不能通知手段、
を備えることを特徴とするナビゲーション装置。
【請求項８】
ナビゲーション装置と通信を行うナビゲーション装置通信手段と、
クライアント計算機と通信を行うクライアント通信手段と、
前記クライアント計算機から前記クライアント通信手段を介して遠隔操作を受け付ける遠隔操作受付手段と、
前記遠隔操作受付手段により受け付けた遠隔操作に応じた操作の指示を特定し、前記ナビゲーション装置通信手段を介して前記ナビゲーション装置に対して前記特定した操作の指示を送信する操作指示手段と、
前記ナビゲーション装置通信手段を介して、前記操作の指示の結果の出力情報を受信し、前記クライアント通信手段を介して、前記出力情報を前記クライアント計算機に送信する出力処理手段と、を備え、
前記出力処理手段は、前記ナビゲーション装置から操作の指示を受け付けることが不可能である旨の情報を受信すると、前記出力情報に代えて、遠隔操作を中断させる情報を前記クライアント計算機に送信する、
ことを特徴とするサーバ装置。
【請求項９】
請求項８に記載のサーバ装置であって、
前記ナビゲーション装置通信手段と、前記クライアント通信手段と、は、互いに異なる通信網を介して前記ナビゲーション装置および前記クライアント計算機と通信を行う、
ことを特徴とするサーバ装置。
【請求項１０】
請求項９に記載のサーバ装置であって、さらに、
前記ナビゲーション装置に対して状況を報知する情報を送信するよう依頼し、前記状況を報知する情報を受信する監視手段を備え、
前記出力処理手段は、前記監視手段が前記状況を報知する情報を前記ナビゲーション装置から受信しない場合には、前記出力情報に代えて、遠隔操作を中断させる情報を前記クライアント計算機に送信する、
ことを特徴とするサーバ装置。
【請求項１１】
ナビゲーション装置と、サーバ装置と、クライアント計算機と、を備えるナビゲーションシステムであって、
前記ナビゲーション装置は、
通信網を介して前記サーバ装置と通信を行う通信手段と、
前記通信手段を介して前記サーバ装置から処理の指示を受け付ける指示受付手段と、
前記指示受付手段により受け付けた指示に応じた処理を実行する処理手段と、
前記処理手段により実行された処理の結果得られる出力情報を、前記通信手段を介して前記サーバ装置に送信する出力送信手段と、
を備え、
前記処理手段は、所定の条件を満たさない場合には、前記所定の条件を満たすまで前記処理の実行を待機し、前記所定の条件を満たす場合には、前記処理を実行し、
前記サーバ装置は、
前記通信網を介して前記ナビゲーション装置と通信を行うナビゲーション装置通信手段と、
前記クライアント計算機と通信を行うクライアント通信手段と、
前記クライアント計算機から前記クライアント通信手段を介して遠隔操作を受け付ける遠隔操作受付手段と、
前記遠隔操作受付手段により受け付けた遠隔操作に応じた処理の指示を特定し、前記ナビゲーション装置通信手段を介して前記ナビゲーション装置に対して前記特定した処理の指示を送信する処理指示手段と、
前記ナビゲーション装置通信手段を介して、前記出力情報を受信し、前記クライアント通信手段を介して、前記出力情報を前記クライアント計算機に送信する出力処理手段と、
を備え、
前記クライアント計算機は、
ユーザからの入力を受け付ける入力受付手段と、
ユーザへの出力を行う出力処理手段と、
前記通信網を介して前記サーバ装置と通信を行うサーバ装置通信手段と、
前記入力受付手段により受け付けたユーザからの遠隔操作に関する入力情報を前記サーバ装置通信手段を介して前記サーバ装置に送信する遠隔操作送信手段と、を備え、
前記出力処理手段は、前記サーバ装置通信手段を介して前記サーバ装置から受信した前記出力情報を出力する、
ことを特徴とするナビゲーションシステム。
【請求項１２】
請求項１１に記載のナビゲーションシステムであって、
前記サーバ装置は、さらに、
前記ナビゲーション装置に対して状況を報知する情報を送信するよう依頼し、前記状況を報知する情報を受信する監視手段を備え、
前記ナビゲーション装置は、さらに、
前記サーバ装置からの処理の指示を受け付けることが可能な状況にあるか否かを特定する状況を報知する情報を前記サーバ装置に送信する状況報知手段を備え、
前記サーバ装置の前記出力処理手段は、前記ナビゲーション装置から操作の指示を受け付けることが不可能である旨の情報を受信すると、前記出力情報に代えて、遠隔操作を中断させる情報を前記クライアント計算機に送信する、
ことを特徴とするナビゲーションシステム。
【請求項１３】
請求項１１または１２に記載のナビゲーションシステムであって、
前記サーバ装置の前記出力処理手段は、さらに、
前記監視手段が前記状況を報知する情報を前記ナビゲーション装置から受信しない場合には、前記出力情報に代えて、遠隔操作を中断させる情報を前記クライアント計算機に送信する、
ことを特徴とするナビゲーションシステム。
【手続補正２】
【補正対象書類名】明細書
【補正対象項目名】０００６
【補正方法】変更
【補正の内容】
【０００６】
上記課題を解決すべく、本発明に係るナビゲーション装置は、外部の装置から処理の指示を受け付ける指示受付手段と、前記指示受付手段により受け付けた指示に応じた処理を実行する処理手段と、前記処理手段により実行された処理の結果得られる出力情報を出力する出力手段と、表示手段と、を備え、前記出力手段が出力する前記出力情報は、画面表示に関する情報であり、前記出力手段は、所定の条件を満たす場合には、前記出力情報を前記表示手段に表示させ、前記所定の条件を満たさない場合には、前記出力情報を前記表示手段に表示させない、ことを特徴とする。
【手続補正３】
【補正対象書類名】明細書
【補正対象項目名】０００７
【補正方法】変更
【補正の内容】
【０００７】
また、本発明に係るサーバ装置は、ナビゲーション装置と通信を行うナビゲーション装置通信手段と、クライアント計算機と通信を行うクライアント通信手段と、前記クライアント計算機から前記クライアント通信手段を介して遠隔操作を受け付ける遠隔操作受付手段と、前記遠隔操作受付手段により受け付けた遠隔操作に応じた操作の指示を特定し、前記ナビゲーション装置通信手段を介して前記ナビゲーション装置に対して前記特定した操作の指示を送信する操作指示手段と、前記ナビゲーション装置通信手段を介して、前記操作の指示の結果の出力情報を受信し、前記クライアント通信手段を介して、前記出力情報を前記クライアント計算機に送信する出力処理手段と、を備え、前記出力処理手段は、前記ナビゲーション装置から操作の指示を受け付けることが不可能である旨の情報を受信すると、前記出力情報に代えて、遠隔操作を中断させる情報を前記クライアント計算機に送信する、ことを特徴とする。
【手続補正４】
【補正対象書類名】明細書
【補正対象項目名】０００８
【補正方法】変更
【補正の内容】
【０００８】
また、本発明に係るナビゲーションシステムは、ナビゲーション装置と、サーバ装置と、クライアント計算機と、を備えるナビゲーションシステムであって、前記ナビゲーション装置は、通信網を介して前記サーバ装置と通信を行う通信手段と、前記通信手段を介して前記サーバ装置から処理の指示を受け付ける指示受付手段と、前記指示受付手段により受け付けた指示に応じた処理を実行する処理手段と、前記処理手段により実行された処理の結果得られる出力情報を、前記通信手段を介して前記サーバ装置に送信する出力送信手段と、を備え、前記処理手段は、所定の条件を満たさない場合には、前記所定の条件を満たすまで前記処理の実行を待機し、前記所定の条件を満たす場合には、前記処理を実行し、前記サーバ装置は、前記通信網を介して前記ナビゲーション装置と通信を行うナビゲーション装置通信手段と、前記クライアント計算機と通信を行うクライアント通信手段と、前記クライアント計算機から前記クライアント通信手段を介して遠隔操作を受け付ける遠隔操作受付手段と、前記遠隔操作受付手段により受け付けた遠隔操作に応じた処理の指示を特定し、前記ナビゲーション装置通信手段を介して前記ナビゲーション装置に対して前記特定した処理の指示を送信する処理指示手段と、前記ナビゲーション装置通信手段を介して、前記出力情報を受信し、前記クライアント通信手段を介して、前記出力情報を前記クライアント計算機に送信する出力処理手段と、を備え、前記クライアント計算機は、ユーザからの入力を受け付ける入力受付手段と、ユーザへの出力を行う出力処理手段と、前記通信網を介して前記サーバ装置と通信を行うサーバ装置通信手段と、前記入力受付手段により受け付けたユーザからの遠隔操作に関する入力情報を前記サーバ装置通信手段を介して前記サーバ装置に送信する遠隔操作送信手段と、を備え、前記出力処理手段は、前記サーバ装置通信手段を介して前記サーバ装置から受信した前記出力情報を出力する、ことを特徴とする。
【手続補正５】
【補正対象書類名】明細書
【補正対象項目名】０００９
【補正方法】削除
【補正の内容】